(57)【要約】【課題】無電源で蓄光材から効果的に蛍光を発せさせる発光装置等を提供する。【解決手段】発光装置１００は、無電源型の発光装置であって、筐体１１０と、筐体１１０の内部に収容され、励起光１８０を吸収して蛍光１９０を発する蓄光材１２０と、蓄光材１２０と対向する位置で筐体１１０に配置され、蛍光１９０を出射する第１窓１４０と、第１窓１４０とは異なる位置で筐体１１０に配置され、筐体１１０の外部から励起光１８０を蓄光材１２０へ導く第２窓１５０と、を備える。【選択図】図３
2020017410.tif 000002
【特許請求の範囲】
【請求項１】
無電源型の発光装置であって、
筐体と、
前記筐体の内部に収容され、励起光を吸収して蛍光を発する蓄光材と、
前記蓄光材と対向する位置で前記筐体に配置され、前記蛍光を出射する第１窓と、
前記第１窓とは異なる位置で前記筐体に配置され、前記筐体の外部から前記励起光を前記蓄光材へ導く第２窓と、を備える
発光装置。
【請求項２】
前記第２窓は、前記第１窓を囲んで配置される
請求項１に記載の発光装置。
【請求項３】
前記第１窓及び前記第２窓が形成された透光部材を備える
請求項１又は２に記載の発光装置。
【請求項４】
前記筐体は、底部と対向する位置に第１開口部を有する有底筒状であり、
前記第１窓は、前記第１開口部に配置され、
前記第２窓は、前記筐体の側壁部に形成された第２開口部に配置される
請求項１又は２に記載の発光装置。
【請求項５】
前記第１窓には、集光レンズが形成されている
請求項１〜４のいずれか１項に記載の発光装置。
【請求項６】
さらに、前記集光レンズの光軸から離れる方向に向けて、前記蛍光を屈折させて前記筐体の外部に出射させる第３窓を備える
請求項５に記載の発光装置。
【請求項７】
前記第２窓には、前記励起光を前記蓄光材へ向けて屈折させるプリズムレンズが形成されている
請求項１〜６のいずれか１項に記載の発光装置。
【請求項８】
前記蓄光材は、膜状である
請求項１〜７のいずれか１項に記載の発光装置。
【請求項９】
光軸を中心に最大強度の前記励起光を発する照明装置と、
前記光軸外であって前記励起光に照射される位置に前記第２窓が配置された請求項１〜８のいずれか１項に記載の発光装置と、を備える
照明システム。
【請求項１０】
前記照明装置は、前記励起光を少なくとも一部として含む白色光を発する
請求項９に記載の照明システム。
【発明の詳細な説明】
【技術分野】
【０００１】
本発明は、発光装置及び当該発光装置を備える照明システムに関する。
【背景技術】
【０００２】
従来、災害等の非常時に光源として用いられる蓄光材がある。蓄光材は、励起光を吸収して蛍光を発する材料である。ここで、蓄光材は、励起光を吸収して蛍光を発するいわゆる蛍光材料とは異なり、光（蛍光）を長時間発し続ける残光性を有する。
【０００３】
特許文献１には、ＬＥＤ（Ｌｉｇｈｔ  Ｅｍｉｔｔｉｎｇ  Ｄｉｏｄｅ）チップと、当該ＬＥＤチップから発せられる光を励起光とする蓄光材とを備えるＬＥＤデバイスが開示されている。
【先行技術文献】
【特許文献】
【０００４】
【特許文献１】特開２００５−１０１０２３号公報
【発明の概要】
【発明が解決しようとする課題】
【０００５】
特許文献１に開示されているＬＥＤデバイスでは、蓄光材に光を照射するために、ＬＥＤチップを点灯させる必要がある。つまり、蓄光材から光を発生させるために、ＬＥＤデバイスに給電する必要がある。
【０００６】
本発明は、無電源で蓄光材から効果的に蛍光を発せさせる発光装置等を提供する。
【課題を解決するための手段】
【０００７】
本発明の一態様に係る発光装置は、無電源型の発光装置であって、筐体と、前記筐体の内部に収容され、励起光を吸収して蛍光を発する蓄光材と、前記蓄光材と対向する位置で前記筐体に配置され、前記蛍光を出射する第１窓と、前記第１窓とは異なる位置で前記筐体に配置され、前記筐体の外部から前記励起光を前記蓄光材へ導く第２窓と、を備える。
【０００８】
また、本発明の一態様に係る照明システムは、光軸を中心に最大強度の前記励起光を発する照明装置と、前記光軸外であって前記励起光に照射される位置に前記第２窓が配置された上記記載の発光装置と、を備える。
【発明の効果】
【０００９】
本発明によれば、無電源で蓄光材から効果的に蛍光を発せさせる発光装置等を提供できる。
【図面の簡単な説明】
【００１０】
【図１】図１は、実施の形態１に係る発光装置を含む照明システムを説明するための図である。
【図２】図２は、実施の形態１に係る発光装置を含む照明システムを示す断面図である。
【図３】図３は、実施の形態１に係る発光装置を示す断面図である。
【図４】図４は、実施の形態１に係る発光装置の光学特性を説明するための表である。
【図５】図５は、実施の形態２に係る発光装置を示す断面図である。
【図６】図６は、実施の形態２の変形例に係る発光装置を示す断面図である。
【図７】図７は、実施の形態３に係る発光装置を示す断面図である。
【発明を実施するための形態】
【００１１】
以下、本発明の実施の形態について、図面を参照しながら説明する。なお、以下で説明する実施の形態は、いずれも包括的又は具体的な例を示すものである。以下の実施の形態で示される数値、形状、材料、構成要素、構成要素の配置位置、接続形態、ステップ及びステップの順序等は、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。したがって、各図において縮尺などは必ずしも一致していない。また、各図において、実質的に同一の構成に対しては同一の符号を付しており、重複する説明は省略又は簡略化される場合がある。
【００１３】
また、本明細書及び図面において、Ｘ軸、Ｙ軸及びＺ軸は、三次元直交座標系の三軸を示している。各実施の形態では、Ｚ軸方向を鉛直方向とし、Ｚ軸に垂直な方向（ｘｙ平面に平行な方向）を水平方向としている。なお、Ｚ軸の正方向を鉛直上方としている。
【００１４】
（実施の形態１）
［照明システム］
図１及び図２を参照して、実施の形態１に係る照明システムについて説明する。
【００１５】
図１は、実施の形態１に係る発光装置１００を含む照明システム３００を説明するための図である。図２は、実施の形態１に係る発光装置１００を含む照明システム３００を示す断面図である。
【００１６】
照明システム３００は、照明装置２００と、発光装置１００とを備える。
【００１７】
照明装置２００は、空間を照らす照明光を出射する。照明装置２００は、例えば、建屋内の天井に取り付けられ直下の床面に対して照明光を照射する。照明装置２００は、例えば、ＬＥＤ照明装置であるが、蛍光灯ランプ又はハロゲンランプ等、照明光を照射可能な装置であればよい。
【００１８】
また、照明装置２００が照射する照明光には、発光装置１００が備える蓄光材１２０の励起光１８０が含まれる。照明装置２００は、光軸１７０を中心に最大強度の励起光１８０を発する。なお、以下の説明においては、照明装置２００が照射する照明光と励起光１８０とを同様の光として説明する。照明光は、例えば、白色光である。照明装置２００は、例えば、励起光１８０を少なくとも一部として含む白色光を発する。また、励起光１８０は、例えば、照明装置２００が照射する照明光である白色光に含まれる青色光である。
【００１９】
発光装置１００は、照明装置２００が照射する照明光の少なくとも一部を励起光１８０として受光し、蛍光１９０を発する発光装置である。具体的には、発光装置１００は、通電されることで光を発するＬＥＤ等を備えない、無電源型の発光装置である。発光装置１００は、例えば、廊下の脇等の、照明装置２００が照射する励起光１８０の光軸１７０外であって励起光１８０に照らされる位置に配置される。より具体的には、発光装置１００は、光軸１７０外であって励起光１８０に照射される位置に第２窓１５０（図３参照）が配置されるように、建屋内等の空間に配置される。
【００２０】
また、発光装置１００は、いわゆる残光性を有する蛍光（例えば、燐光）を発する。発光装置１００は、例えば、非常用の灯りとして用いられ、災害等により照明装置２００の発光が停止された場合においても、蛍光を数時間程度発し続けることができる。
【００２１】
［発光装置］
続いて、図３を参照して、実施の形態１に係る発光装置１００の構成の詳細について説明する。
【００２２】
図３は、実施の形態１に係る発光装置１００を示す断面図である。
【００２３】
発光装置１００は、筐体１１０と、蓄光材１２０と、透光部材１３０と、を備える。
【００２４】
筐体１１０は、蓄光材１２０を内部に収容する。筐体１１０は、例えば、有底筒状の容器であり、樹脂材料で形成される。なお、筐体１１０としては、蓄光材１２０及び透光部材１３０を保持できればよく、採用される形状及び材料は特に限定されない。筐体１１０は、例えば、木材、セラミックス、金属材料から形成されてもよい。また、筐体１１０は、平板状でもよい。また、筐体１１０の平面視形状は、特に限定されない。筐体１１０の平面視形状は、矩形でもよいし、円形でもよいし、多角形でもよい。本実施の形態においては、発光装置１００の平面視形状は、矩形である。
【００２５】
蓄光材１２０は、筐体１１０に収容され、励起光１８０を吸収して蛍光１９０を発する蓄光材料である。具体的には、蓄光材１２０は、励起光１８０によって蛍光寿命の短い（例えば、サブナノ秒〜ミリ秒程度）光だけでなく、蛍光寿命の長い（例えば、数時間）光である残光を発する。蓄光材１２０は、例えば、ユーロピウム、ディスプロジウム等の希土類元素が賦活されたアルミン酸ストロンチウムが例示されるが、既知の蓄光材料が用いられればよく、材料の組成は特に限定されない。蓄光材１２０として、例えば、燐光を発する有機化合物が採用されてもよい。蓄光材１２０は、例えば、膜状に形成されており、筐体１１０の内部に配置されている。ここで、膜状の蓄光材１２０とは、シート状に形成された蓄光テープ、シルク印刷によって筐体１１０内面に形成された蓄光材１２０、又は、蓄光材１２０を含む塗料が筐体１１０内面に塗布されることで形成された蓄光材１２０等の、薄く形成された蓄光材１２０を意味する。
【００２６】
透光部材１３０は、筐体１１０に配置された蓄光材１２０を覆うように筐体１１０に取り付けられる透光カバーである。透光部材１３０は、照明装置２００が発する励起光１８０を透過し、且つ、蓄光材１２０が発する蛍光１９０を透過する透光性を有する。透光部材１３０は、例えば、励起光１８０を９０％以上透過する透光性を有する。透光部材１３０は、例えば、ガラスによって形成されるが、シリコーン樹脂、アクリル樹脂、又は、ポリカーボネート樹脂によって形成されてもよい。また、透光部材１３０は、第１窓１４０及び第２窓１５０が後述する特性を有してさえいれば、例えば、表面にシルク印刷が行われることによって光拡散性を有してもよい。また、透光部材１３０は、シリカ又は炭酸カルシウム等の光拡散材（微粒子）を含有することにより光拡散性を有してもよい。また、透光部材１３０の表面（内面又は外面）に光拡散材等を含む乳白色の光拡散膜を形成することで、透光部材１３０は光拡散性を有してもよい。また、光拡散材を用いるのではなくシボ加工処理等によって透光部材１３０の表面に微小凹凸を形成したり、透光部材１３０の表面にドットパターンを印刷したりすることで、透光部材１３０は光拡散性を有してもよい。また、上述した光拡散性を持たせる材料、形状等を組み合わせることで、透光部材１３０は光拡散性を有してもよい。
【００２７】
透光部材１３０の形状は、特に限定されるものではない。透光部材１３０の形状は、例えば、板状でもよいし、蛍光１９０が出射される方向に凸となるように湾曲した湾曲形状でもよい。
【００２８】
透光部材１３０は、第１窓１４０と、第２窓１５０と、を有する。
【００２９】
第１窓１４０は、蓄光材１２０と対向する位置で筐体１１０に配置され、蛍光１９０を出射、つまり、透過する透光部材である。
【００３０】
第２窓１５０は、第１窓１４０とは異なる位置で筐体１１０に配置され、筐体１１０の外部から励起光１８０を蓄光材１２０へ導く透光部材である。
【００３１】
第１窓１４０及び第２窓１５０は、同じ透光部材に一体に形成されていてもよいし、異なる透光部材に別体にそれぞれ形成されていてもよい。本実施の形態では、発光装置１００は、第１窓１４０及び第２窓１５０が一体に形成された透光部材１３０を備える。
【００３２】
また、透光部材１３０の内面には、第１窓１４０及び第２窓１５０のそれぞれに、プリズム状の突起が形成されている。第１窓１４０は、内面に形成された突起によって、蛍光１９０を所定の距離だけ離れた位置の床面に向けて屈折させる。
【００３３】
また、第２窓１５０には、透光部材１３０の外面にもまた、プリズム状の突起であるプリズムレンズ１５５が形成されている。つまり、透光部材１３０における第１窓１４０に対応する箇所には、１つの面（本実施の形態では、内面）にのみプリズム状の突起が形成されており、第２窓１５０に対応する箇所には、両面（内面及び外面）にプリズム状の突起が形成されている。第２窓１５０は、内面に形成された突起、及び、プリズムレンズ１５５によって、励起光１８０を蓄光材１２０へ向けて屈折させる。
【００３４】
［光学特性］
続いて、図４を参照して、実施の形態１に係る発光装置１００の光学特性について説明する。
【００３５】
図４は、実施の形態１に係る発光装置１００の光学特性を説明するための表である。なお、図４に示す表において、比較例とは、実施の形態１に係る発光装置１００において透光部材１３０が無い場合の発光装置であり、実施例１とは、実施の形態１に係る発光装置１００においてプリズムレンズ１５５が無い場合の発光装置であり、実施例２とは、実施の形態１に係る発光装置１００である。
【００３６】
なお、図４に示す結果は、シミュレーション結果であり、平均床面照度（ｌｘ）は、発光装置の内部に位置する蓄光材１２０を床面から４ｃｍ離れた位置に配置して蓄光材１２０を２．５ｌｍで光らせた場合における、床面の平均照度を示す。到達平均照度（ｌｘ）は、発光装置の内部に位置する蓄光材１２０を床面から４ｃｍ離れた位置に配置して、床面から２．７ｍの高さに位置する天井に配置した照明装置２００によって、１／２ビーム角が１０６°の配光特性を有する励起光１８０を光軸１７０が床面に対して垂直になるように、且つ、８６７ｌｍで光らせた場合における、蓄光材１２０に到達した光の平均照度を示す。なお、図４に示す結果では、蓄光材１２０は、２０ｍｍ×８５０ｍｍの矩形状の状態で、筐体１１０に取り付けられているものとし、各発光装置が配置される建屋の床面、及び、壁面での光の反射は、無視している。
【００３７】
図４に示すように、比較例の平均床面照度は、２．１０ｌｘであるのに対し、実施例１の平均床面照度は、２．２９ｌｘであり、実施例２の平均床面照度は、２．２８ｌｘであることから、比較例よりも、実施例１及び実施例２の方が、平均床面照度が高いことが分かる。また、実施例１の平均床面照度と実施例２の平均床面照度とは、ほぼ同じ値であることから、実施例１と実施例２とで共通の構成である第１窓１４０が床面を効果的に照らしていることが分かる。
【００３８】
また、比較例の到達平均照度は、７．３８３ｌｘであるのに対し、実施例１の到達平均照度は、９．３５３ｌｘであり、実施例２の到達平均照度は、９．７２３ｌｘであることから、比較例よりも、実施例１及び実施例２の方が、到達平均照度が高いことが分かる。これにより、透光部材１３０の内面に設けられたプリズム状の突起が、励起光１８０を効果的に採光して蓄光材１２０に照射していることが分かる。
【００３９】
また、実施例１の到達平均照度よりも実施例２の到達平均照度の方が高い値であることから、実施例１と実施例２とで異なる構成であるプリズムレンズ１５５が励起光１８０をより効果的に採光して蓄光材１２０に照射していることが分かる。
【００４０】
［効果等］
以上のように、実施の形態１に係る発光装置１００は、無電源型の発光装置である。発光装置１００は、筐体１１０と、筐体１１０の内部に収容され、励起光１８０を吸収して蛍光１９０を発する蓄光材１２０と、蓄光材１２０と対向する位置で筐体１１０に配置され、蛍光１９０を出射する第１窓１４０と、第１窓１４０とは異なる位置で筐体１１０に配置され、筐体１１０の外部から励起光１８０を蓄光材１２０へ導く第２窓１５０と、を備える。
【００４１】
このような構成によれば、発光装置１００は、第２窓１５０によって筐体１１０外部の光を筐体１１０の内部に効果的に取り入れ、つまり、多くの光を採光して蓄光材１２０に向けて出射し、且つ、第１窓１４０によって蓄光材１２０から発せられる蛍光１９０を筐体１１０の内部から外部へ所望の態様で出射させることができる。このように、発光装置１００によれば、効果的に採光して蓄光材１２０に励起光１８０を照射でき、且つ、所望の態様で蛍光１９０を出射することができる。つまり、発光装置１００は、無電源で蓄光材１２０から効果的に蛍光１９０を発せさせることができる。
【００４２】
例えば、発光装置１００は、第１窓１４０及び第２窓１５０が形成された透光部材１３０を備える。つまり、例えば、第１窓１４０及び第２窓１５０は、一体である。
【００４３】
このような構成によれば、例えば、第１窓１４０及び第２窓１５０を筐体１１０に設けるためにそれぞれを別体の透光部材で形成する場合と比較して、部品点数を削減することができる。そのため、発光装置１００の組み立てを簡便化することができる。
【００４４】
また、例えば、第２窓１５０には、励起光１８０を蓄光材１２０へ向けて屈折させるプリズムレンズ１５５が形成されている。
【００４５】
このような構成によれば、プリズムレンズ１５５によって効果的に励起光１８０を筐体１１０内に採光することができる、これにより、蓄光材１２０に照射される励起光１８０の光量を増やすことができる。そのため、蓄光材１２０が発する蛍光強度を増加させることができる。
【００４６】
また、例えば、蓄光材１２０は、膜状である。
【００４７】
このような構成によれば、例えば、立方体形状等のバルク状の蓄光材１２０に励起光１８０を照射する場合と比較して、同じ量の蓄光材１２０であれば、より万遍なく蓄光材１２０に励起光１８０を照射させることができる。
【００４８】
また、例えば、実施の形態１に係る照明システム３００は、光軸１７０を中心に最大強度の励起光１８０を発する照明装置２００と、光軸１７０外であって励起光１８０に照射される位置に第２窓１５０が配置された発光装置１００と、を備える。
【００４９】
照明装置２００は、例えば、空間内を照らす照明光を照射する照明装置である。そのため、光軸１７０上は、最も光量が多い光軸１７０上は、例えば、廊下の床面の平面視で中央部等の照明装置２００が照明光で照らす主となる場所となることが多い。そのような主となる場所は、ユーザが活動する領域となりやすいため、発光装置１００を配置するとユーザの活動の妨げとなる懸念がある。そのため、照明システム３００のように、光軸１７０外であって励起光１８０に照らされる位置に第２窓１５０が配置されるように発光装置１００を配置することで、発光装置１００は、ユーザの活動の妨げにならず、且つ、例えば、停電等の非常時にユーザが活動する領域を効果的に照らしやすくなる。
【００５０】
また、例えば、照明装置２００は、蓄光材１２０を照らす励起光１８０を少なくとも一部として含む白色光を発する。
【００５１】
このような構成によれば、照明装置２００は、単なる発光装置１００の励起光源としてではなく、ユーザの活動に適した空間を照らす照明装置としてもまた利用され得る。そのため、照明システム３００によれば、平時においても非常時においても空間を効果的に照らすことができる。
【００５２】
（実施の形態２）
続いて、図５を参照して、実施の形態２に係る発光装置について説明する。
【００５３】
なお、実施の形態２に係る発光装置の説明においては、実施の形態１に係る発光装置１００との差異点を中心に説明し、実施の形態１に係る発光装置１００と同一の構成については同一の符号を付し、説明を一部省略又は簡略化する場合がある。
【００５４】
［構成］
図５は、実施の形態２に係る発光装置１０１を示す断面図である。なお、図５は、図２に示す発光装置１００と同じ断面における断面図であるとして説明する。
【００５５】
発光装置１０１は、実施の形態１に係る発光装置１００とは、光学部材に関する構成が異なる。
【００５６】
発光装置１０１は、筐体１１１と、蓄光材１２０と、第１窓１４１と、第２窓１５１と、を備える。
【００５７】
筐体１１１は、蓄光材１２０を内部に収容する。筐体１１１は、例えば、底部１１１ａと対向する位置に第１開口部１１１ｃを有する有底筒状の容器である。ここで、筐体１１１は、筐体１１０とは異なり、側壁部１１１ｂに第２窓１５１を配置するための開口である第２開口部１１１ｄが形成されている。なお、側壁部１１１ｂとは、蓄光材１２０が配置される底部１１１ａの底面に立設されている壁部である。
【００５８】
第１窓１４１は、蓄光材１２０と対向する位置で筐体１１１に配置され、蛍光１９０を出射する透光部材である。筐体１１１には、底部１１１ａと対向する位置に第１開口部１１１ｃが形成されている。第１窓１４１は、第１開口部１１１ｃに配置されている。
【００５９】
第２窓１５１は、第１窓１４１とは異なる位置で筐体１１１に配置され、筐体１１１の外部からの励起光１８０を蓄光材１２０へ導く透光部材である。具体的には、第２窓１５１は、筐体１１１の側壁に設けられている。より具体的には、第２窓１５１は、筐体１１１の側壁部１１１ｂに形成された第２開口部１１１ｄに配置されている。第２窓１５１の内面には、プリズム状の突起が形成されている。第１窓１４１は、内面に形成された突起によって、外部からの励起光１８０を屈折させて蓄光材１２０へ導く。第２窓１５１は、蓄光材１２０及び第１窓１４１よりも筐体１１１における上部に配置されている。
【００６０】
また、実施の形態２に係る発光装置１０１においては、第１窓１４０及び第２窓１５０は、異なる透光部材に別体にそれぞれ形成されている。
【００６１】
また、第１窓１４１には、集光レンズが形成されている。図５には、第１窓１４１全体が１つの集光レンズである場合を示しているが、第１窓１４１は、一部に集光レンズが形成された構成でもよい。また、第１窓１４１に形成されるレンズは、筐体１１１の内側に凸の凸レンズでもよいし、筐体１１１の外側に凸の凸レンズでもよい。また、第１窓１４１に形成されるレンズは、フレネルレンズでもよい。
【００６２】
［効果等］
以上のように、実施の形態２に係る発光装置１０１は、実施の形態１に係る発光装置１００と同様に、無電源型の発光装置である。発光装置１０１は、筐体１１１と、筐体１１１の内部に収容され、励起光１８０を吸収して蛍光１９０を発する蓄光材１２０と、蓄光材１２０と対向する位置で筐体１１１に配置され、蛍光１９０を出射する第１窓１４１と、第１窓１４１とは異なる位置で筐体１１１に配置され、筐体１１１の外部から励起光１８０を蓄光材１２０へ導く第２窓１５１と、を備える。筐体１１１は、底部１１１ａと対向する位置に第１開口部１１１ｃを有する有底筒状である。第１窓１４１は、第１開口部１１１ｃに配置される。また、第２窓１５１は、筐体１１１の側壁部１１１ｂに形成された第２開口部１１１ｄに配置される。
【００６３】
このような構成によれば、採光用の窓である第２窓１５１と光出射用の窓である第１窓１４１とが別部材となっているために、光学設計が容易となる。
【００６４】
また、例えば、第１窓１４１には、集光レンズが形成されている。
【００６５】
このような構成によれば、蓄光材１２０が発する蛍光１９０が弱い場合においても、集光することで、ユーザにとって発光装置１０１から蛍光１９０が発せられていることを分かりやすくすることができる。
【００６６】
（実施の形態２の変形例）
続いて、図６を参照して、実施の形態２の変形例に係る発光装置について説明する。
【００６７】
［構成］
図６は、実施の形態２の変形例に係る発光装置１０２を示す断面図である。なお、図６は、図５に示す発光装置１０１と同じ断面における断面図であるとして説明する。
【００６８】
発光装置１０２は、実施の形態２に係る発光装置１０１とは、光学部材に関する構成が異なる。
【００６９】
発光装置１０２は、筐体１１２と、蓄光材１２０と、第１窓１４１と、第２窓１５１と、第３窓１６０と、を備える。
【００７０】
筐体１１２は、蓄光材１２０を内部に収容する。筐体１１２は、例えば、有底筒状の容器である。筐体１１２の側壁部１１２ｂには、第２窓１５１が配置されている。ここで、筐体１１２は、筐体１１１とは異なり、底部１１２ａと対向し、第１窓１４１が配置される開口とは異なる位置に開口が形成されている。当該開口には、第３窓１６０が形成されている。
【００７１】
第３窓１６０は、蓄光材１２０と対向する位置で筐体１１２に配置される。第３窓１６０は、第１窓１４１に形成されている集光レンズの光軸から離れる方向に向けて、蛍光１９１を屈折させて筐体１１２の外部に出射させる。例えば、第２窓１５１は、下方側に蛍光１９１を屈折させて出射させる。より具体的には、第３窓１６０は、蛍光１９１を所定の距離だけ離れた位置の床面に向けて出射する。具体的には、第３窓１６０は、蛍光１９１を下方に向けて出射する透光部材である。
【００７２】
第３窓１６０は、第１窓１４１と同じ透光部材に一体に形成されていてもよいし、異なる透光部材に別体にそれぞれ形成されていてもよい。本実施の形態では、第１窓１４１と第３窓１６０とは、別体である。
【００７３】
また、第３窓１６０の内面には、プリズム状の突起が形成されている。第３窓１６０は、内面に形成された突起によって、蛍光１９１を所定の距離だけ離れた位置の床面に向けて屈折させる。
【００７４】
［効果等］
このように、実施の形態２の変形例に係る発光装置１０２は、実施の形態２に係る発光装置１０１の構成に加えて、さらに、第１窓１４１に形成されている集光レンズの光軸から離れる方向に向けて、蛍光１９１を屈折させて筐体１１２の外部に出射させる第３窓１６０を備える。
【００７５】
このような構成によれば、蓄光材１２０が発する蛍光１９０が弱い場合においても、集光することで、ユーザにとって発光装置１０２から蛍光１９０が発せられていることを分かりやすくすることができ、且つ、第３窓１６０によって、ユーザの足元を照らしやすくすることができる。
【００７６】
（実施の形態３）
続いて、図７を参照して、実施の形態３に係る発光装置について説明する。
【００７７】
なお、実施の形態３に係る発光装置の説明においては、実施の形態１に係る発光装置１００との差異点を中心に説明し、実施の形態１に係る発光装置１００と同一の構成については同一の符号を付し、説明を一部省略又は簡略化する場合がある。
【００７８】
［構成］
図７は、実施の形態３に係る発光装置１０３を示す断面図である。なお、図７は、図２に示す発光装置１００と同じ断面における断面図であるとして説明する。
【００７９】
筐体１１３は、蓄光材１２０を内部に収容する。筐体１１０は、例えば、有底筒状の容器であり、金属材料で形成される。
【００８０】
透光部材１３１は、筐体１１０に配置された蓄光材１２０を覆うように筐体１１０に取り付けられる透光カバーである。透光部材１３１は、照明装置２００が発する励起光１８０を透過し、且つ、蓄光材１２０が発する蛍光１９０を透過する透光性を有する。
【００８１】
透光部材１３１は、第１窓１４２と、第２窓１５２と、を有する。
【００８２】
第１窓１４２は、蓄光材１２０と対向する位置で筐体１１３に配置され、蛍光１９０を出射する透光部材である。また、第１窓１４２の内面には、集光レンズが形成されている。第１窓１４２は、蓄光材１２０から発せられた蛍光１９０を集光して出射する。
【００８３】
第２窓１５２は、第１窓１４２とは異なる位置で筐体１１３に配置され、筐体１１３の外部から励起光１８０を蓄光材１２０へ導く透光部材である。また、第２窓１５２の内面には、プリズム状の突起が形成されている。第２窓１５２は、内面に形成された突起によって、励起光１８０を蓄光材１２０へ向けて屈折させる。
【００８４】
また、第２窓１５２は、平面視で第１窓１４２を囲んで配置されている。なお、平面視とは、発光装置１０３が出射する蛍光１９０の光軸から発光装置１０３を見た場合を示す。より具体的には、平面視とは、透光部材１３１における集光レンズ及びプリズム状の突起が形成された面とは反対側の平面の垂線方向（法線方向）から見た場合を示す。本実施の形態では、平面視の平面とは、ＸＹ平面である。
【００８５】
なお、本実施の形態では、第２窓１５２は第１窓１４２に対してＸ軸正方向側及びＸ軸負方向側の両側に配置されているが、第２窓１５２の配置は、これに限定されない。例えば、第２窓１５２は、平面視した場合に、つまり、ＸＹ平面をＸＹ平面の法線方向から見た場合に、第１窓１４２の全周を囲むように配置されてもよい。
【００８６】
また、第１窓１４２及び第２窓１５２は、同じ透光部材に一体に形成されていてもよいし、異なる透光部材に別体にそれぞれ形成されていてもよい。本実施の形態では、発光装置１０３は、第１窓１４２及び第２窓１５２が一体に形成された透光部材１３１を備える。
【００８７】
［効果等］
以上のように、実施の形態３に係る発光装置１０３は、実施の形態１に係る発光装置１００と同様に、無電源型の発光装置である。発光装置１０３は、筐体１１３と、筐体１１３の内部に収容され、励起光１８０を吸収して蛍光１９０を発する蓄光材１２０と、蓄光材１２０と対向する位置で筐体１１３に配置され、蛍光１９０を出射する第１窓１４２と、第１窓１４２とは異なる位置で筐体１１３に配置され、筐体１１３の外部から励起光１８０を蓄光材１２０へ導く第２窓１５２と、を備える。第２窓１５２は、第１窓１４２を囲んで配置される。
【００８８】
このような構成によれば、第２窓１５２によって広い範囲の励起光１８０を採光し易くなる。例えば、壁等に反射された励起光１８０を採光しやすくなる。また、例えば、図２に示す断面において、Ｘ軸正方向及びＸ軸負方向の両側に照明装置２００が配置され、且つ、床面の中央に発光装置１０３が配置された場合、２つの照明装置２００からの励起光１８０をいずれからも採光しやすくなる。
【００８９】
（その他の実施の形態）
以上、実施の形態に係る発光装置等について説明したが、本発明は、上記実施の形態に限定されるものではない。
【００９０】
例えば、本発明に係る発光装置の形状、及び、大きさは、特に限定されるものではない。
【００９１】
また、本発明に係る照明システムが備える照明装置の形状、大きさ、及び、構造は、特に限定されるものではない。また、照明装置は、ＬＥＤチップを用いたＬＥＤ照明装置でもよいし、半導体レーザ等の半導体発光素子を用いた照明装置、有機ＥＬ（Ｅｌｅｃｔｒｏ  Ｌｕｍｉｎｅｓｃｅｎｃｅ）若しくは無機ＥＬ等の固体発光素子を用いた照明装置でもよいし、蛍光灯、又は、ハロゲンランプ等でもよい。
【００９２】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【００９３】
１００、１０１、１０２、１０３  発光装置
１１０、１１１、１１２、１１３  筐体
１１１ａ、１１２ａ  底部
１１１ｂ、１１２ｂ  側壁部
１１１ｃ  第１開口部
１１１ｄ  第２開口部
１２０  蓄光材
１３０、１３１  透光部材
１４０、１４１、１４２  第１窓
１５０、１５１、１５２  第２窓
１５５  プリズムレンズ
１６０  第３窓
１７０  光軸
１８０  励起光
１９０、１９１  蛍光
２００  照明装置
３００  照明システム
【図１】
2020017410.tif 000003
【図２】
2020017410.tif 000004
【図３】
2020017410.tif 000005
【図４】
2020017410.tif 000006
【図５】
2020017410.tif 000007
【図６】
2020017410.tif 000008
【図７】
2020017410.tif 000009